(57)【要約】      （修正有）【課題】縦・横比が違う方形箱でも容易に設計可能で、ＦＦＧ装置により製造される底組み方形箱を提供すること。【解決手段】第１側面板１に、先端縁に底組み用の係止片部が二箇所突出形成されているとともに対向する第３底面外フラップ８にも形成されている底組み用の係止片部が重合係止する底組み用の係止受部が二箇所凹設形成されている第１底面外フラップ６が連設され、箱組み立て時に第１側面板１と対向することとなる第３側面板３に、第１底面外フラップ６と同形状となる二箇所の底組み用の係止受部と二箇所の底組み用の係止受部とが形成されている第３底面外フラップ８が連設され、第１側面板１と第３側面板３との間の第２側面板２に第２底面内フラップ７が連設され、箱組み立て時に第２側面板２と対向することとなる第４側面板４に第２底面内フラップ７と対向する第４底面内フラップ９が連設されていて、スケアリングが良好に行えるように構成する。【選択図】図１
2018138468.tif 000002
【特許請求の範囲】
【請求項１】
連結部の折り縁を折り曲げることで４面から成る側面部が形成される第１側面板，第２側面板，第３側面板および第４側面板が所定方向に連設された本体板部に、前記各側面板の連設方向と直交する方向に突出状態にして連設部の折り縁を折り曲げることで底組みできる底面部が形成される第１底面外フラップ，第２底面内フラップ，第３底面外フラップおよび第４底面内フラップが前記各側面板に連設され並設されている底組み方形箱であって、前記第１側面板に、先端縁に底組み用の係止片部が二箇所突出形成されているとともに対向する前記第３底面外フラップにも形成されている前記底組み用の係止片部が重合係止する底組み用の係止受部が二箇所凹設形成されている前記第１底面外フラップが連設され、箱組み立て時に前記第１側面板と対向することとなる前記第３側面板に、前記第１底面外フラップと同形状となる前記二箇所の底組み用の係止受部と前記二箇所の底組み用の係止受部とが形成されている前記第３底面外フラップが連設され、前記第１側面板と前記第３側面板との間の前記第２側面板に前記第２底面内フラップが連設され、箱組み立て時に前記第２側面板と対向することとなる前記第４側面板に前記第２底面内フラップと対向する前記第４底面内フラップが連設されていて、前記第１底面外フラップ若しくは前記第３底面外フラップの先端縁に形成された前記底組み用の係止片部の先端直線縁の前記第１側面板若しくは前記第３側面板からの距離と、前記第２底面内フラップ若しくは前記第４底面内フラップの先端直線縁の前記第２側面板若しくは前記第４側面板からの距離とが一致する形状に設定されていて、溝切り・二つ折り重ね・接着・積み上げを自動的に行う製造装置によって二つ折り重ねして箱組み立て前の二つ折り重ね輸送状態とした際には、重ね下側と重ね上側との一側縁に前記先端直線縁がそろい重合したスケアリング用重合縁が形成され二つ折り重ねの位置ズレを押圧矯正するための製造装置でのスケアリングが行えるように構成されていることを特徴とする底組み方形箱。
【請求項２】
前記本体板部の前記折り縁を折り曲げることで、４面から成る側面部が形成されるとともに、前記第２底面内フラップと前記第４底面内フラップとが対向し、この第２底面内フラップと第４底面内フラップの外側に重合するように前記第１底面外フラップと前記第３底面外フラップとが対向し、夫々対向する前記第１底面外フラップの先端縁に形成されている前記底組み用の係止片部と、前記第３底面外フラップの先端縁に形成されている前記底組み用の係止受部、および前記第１底面外フラップの先端縁に形成されている前記底組み用の係止受部と前記第３底面外フラップの先端縁に形成されている前記底組み用の係止片部とが押し込むことで重合係止され底組みされることにより前記底面部が形成されるように構成されていて、前記第２底面内フラップおよび前記第４底面内フラップの先端直線縁には前記底組み用の係止片部および前記底組み用の係止受部は形成されていない長い前記先端直線縁が形成されていることを特徴とする請求項１記載の底組み方形箱。
【請求項３】
前記本体板部の前記連設方向の端部に接着剤を付して二つ折り重合止着する接着用片部が設けられていることを特徴とする請求項１，２のいずれか１項に記載の底組み方形箱。
【請求項４】
前記本体板部の前記第１底面外フラップ，前記第２底面内フラップ，前記第３底面外フラップおよび前記第４底面内フラップを連設する側と反対側に、前記スケアリングを行う際の前記スケアリング用重合縁と対向するスケアリング用押圧受縁が形成されている、若しくは前記本体板部に天面部を形成する各天面フラップを連設してこの各天面フラップの先端直線縁で前記スケアリング用押圧受縁が形成されていることを特徴とする請求項１〜３のいずれか１項に記載の底組み方形箱。
【請求項５】
前記第１底面外フラップおよび前記第３底面外フラップの前記底組み用の係止片部若しくは前記底組み用の係止受部と隣接する外フラップ突出側縁と、この外フラップ突出側縁と隣接する前記第２底面内フラップ若しくは前記第４底面内フラップの内フラップ突出側縁との離間間隔が傾斜が大きいほど広がることとなる前記外フラップ突出側縁の内側傾斜度を小さく設定して、前記製造装置での供給板材から不要部分を切削する溝切り工程で切除する面積が小さくなるように構成されているとともに、前記第１底面外フラップおよび第３底面外フラップの先端縁を長く設定し、この長く設定した先端縁に前記二箇所の前記底組み用の係止片部が形成されていることを特徴とする請求項１〜４のいずれか１項に記載の底組み方形箱。
【発明の詳細な説明】
【技術分野】
【０００１】
本発明は、製造装置例えばフレキソフォルダーグリア（ＦＦＧ装置）で安価に製造でき、底組みするだけで底面部が形成されて、テープ貼りやステープル止めも不要とすることができるＦＦＧ装置により製造される底組み方形箱に関するものである。
【背景技術】
【０００２】
例えばＦＦＧ装置を用いれば、段ボール箱（組み立て前の二つ折り重ね輸送状態（偏平状態）の段ボール箱）を安価に製造できる。
【０００３】
このＦＦＧ装置は、供給される板材（段ボール板）を印刷する印刷工程，この印刷済板材の不要部分を切削する溝切り工程，二つ折りしこの二つ折り重ね両縁を押圧して位置ズレを矯正するスケアリングをして接着剤により端部を接着する二つ折り重ね・接着工程，この端部が接着された二つ折り重ね輸送状態（容易に折り曲げ組み立て可能な二つ折り重ね偏平状態）の板材（組み立て前の段ボール箱）を排出自在に積み重ねする積み重ね工程を自動的に行う装置であるが、このＦＦＧ装置で製造できる箱形式はある程度限定されている。
【０００４】
例えば底面内フラップおよびこの外側に重なる底面外フラップを折り曲げ、押し込むことで先端縁に形成した係止片部を係止受部に重合係止する（底組みする）だけで底面部が形成されてテープ貼りやステープル止めを不要にできる底組み方形箱の製造は、縦・横比がある程度大きくないと前記二つ折り重ねの両縁を押圧して位置ズレを矯正するスケアリングができないことから底組み方形箱の製造には用いることができなかった。
【０００５】
すなわち、簡易な底面フラップの折り曲げ係止によって底面部が形成され、テープ貼りやステープル打ちの手間を省くことができる従来の底組み方形箱は、縦・横比がかなり大きくないと十分の長さのスケアリング用重合縁を有するように設計できないためにこのＦＦＧ装置により安価に製造することができなかった。
【発明の概要】
【発明が解決しようとする課題】
【０００６】
本発明は、底組み方形箱の各底面フラップの形状を改良し、底組みによる底面部の支承強度を確保しつつ十分な長さのスケアリング用重合縁を有する構成とすることによってＦＦＧ装置などの製造装置を用いて安価に生産可能で、テープ貼りやステープル止めを不要とすることもできる底組み方形箱を提供でき、しかも方形箱の縦・横比の異なるものにも（縦・横比が１若しくは１に近いものにも）生産対応でき、その底面フラップ形状の設計も容易となるなど極めて実用性に優れた底組み方形箱を提供することを目的としている。
【課題を解決するための手段】
【０００７】
添付図面を参照して本発明の要旨を説明する。
【０００８】
連結部の折り縁を折り曲げることで４面から成る側面部が形成される第１側面板１，第２側面板２，第３側面板３および第４側面板４が所定方向に連設された本体板部５に、前記各側面板１，２，３，４の連設方向と直交する方向に突出状態にして連設部の折り縁を折り曲げることで底組みできる底面部が形成される第１底面外フラップ６，第２底面内フラップ７，第３底面外フラップ８および第４底面内フラップ９が前記各側面板１，２，３，４に連設され並設されている底組み方形箱であって、前記第１側面板１に、先端縁に底組み用の係止片部10が二箇所突出形成されているとともに対向する前記第３底面外フラップ８にも形成されている前記底組み用の係止片部10が重合係止する底組み用の係止受部11が二箇所凹設形成されている前記第１底面外フラップ６が連設され、箱組み立て時に前記第１側面板１と対向することとなる前記第３側面板３に、前記第１底面外フラップ６と同形状となる前記二箇所の底組み用の係止受部11と前記二箇所の底組み用の係止受部10とが形成されている前記第３底面外フラップ８が連設され、前記第１側面板１と前記第３側面板３との間の前記第２側面板２に前記第２底面内フラップ７が連設され、箱組み立て時に前記第２側面板２と対向することとなる前記第４側面板４に前記第２底面内フラップ７と対向する前記第４底面内フラップ９が連設されていて、前記第１底面外フラップ６若しくは前記第３底面外フラップ８の先端縁に形成された前記底組み用の係止片部10の先端直線縁12の前記第１側面板１若しくは前記第３側面板３からの距離と、前記第２底面内フラップ７若しくは前記第４底面内フラップ９の先端直線縁13の前記第２側面板２若しくは前記第４側面板４からの距離とが一致する形状に設定されていて、溝切り・二つ折り重ね・接着・積み上げを自動的に行う製造装置によって二つ折り重ねして箱組み立て前の二つ折り重ね輸送状態とした際には、重ね下側と重ね上側との一側縁に前記先端直線縁12，13がそろい重合したスケアリング用重合縁12，13が形成され二つ折り重ねの位置ズレを押圧矯正するための製造装置でのスケアリングが行えるように構成されていることを特徴とする底組み方形箱に係るものである。
【０００９】
また、前記本体板部５の前記折り縁を折り曲げることで、４面から成る側面部が形成されるとともに、前記第２底面内フラップ７と前記第４底面内フラップ９とが対向し、この第２底面内フラップ７と第４底面内フラップ９の外側に重合するように前記第１底面外フラップ６と前記第３底面外フラップ８とが対向し、夫々対向する前記第１底面外フラップ６の先端縁に形成されている前記底組み用の係止片部10と、前記第３底面外フラップ８の先端縁に形成されている前記底組み用の係止受部11、および前記第１底面外フラップ６の先端縁に形成されている前記底組み用の係止受部11と前記第３底面外フラップ８の先端縁に形成されている前記底組み用の係止片部10とが押し込むことで重合係止され底組みされることにより前記底面部が形成されるように構成されていて、前記第２底面内フラップ７および前記第４底面内フラップ９の先端直線縁13には前記底組み用の係止片部10および前記底組み用の係止受部11は形成されていない長い前記先端直線縁13が形成されていることを特徴とする請求項１記載の底組み方形箱に係るものである。
【００１０】
また、前記本体板部５の前記連設方向の端部に接着剤を付して二つ折り重合止着する接着用片部22が設けられていることを特徴とする請求項１，２のいずれか１項に記載の底組み方形箱に係るものである。
【００１１】
また、前記本体板部５の前記第１底面外フラップ６，前記第２底面内フラップ７，前記第３底面外フラップ８および前記第４底面内フラップ９を連設する側と反対側に、前記スケアリングを行う際の前記スケアリング用重合縁12，13と対向するスケアリング用押圧受縁20，21が形成されている、若しくは前記本体板部５に天面部を形成する各天面フラップ14，15，16，17を連設してこの各天面フラップの先端直線縁20，21で前記スケアリング用押圧受縁20，21が形成されていることを特徴とする請求項１〜３のいずれか１項に記載の底組み方形箱に係るものである。
【００１２】
また、前記第１底面外フラップ６および前記第３底面外フラップ８の前記底組み用の係止片部10若しくは前記底組み用の係止受部11と隣接する外フラップ突出側縁18と、この外フラップ突出側縁18と隣接する前記第２底面内フラップ７若しくは前記第４底面内フラップ９の内フラップ突出側縁19との離間間隔が傾斜が大きいほど広がることとなる前記外フラップ突出側縁18の内側傾斜度を小さく設定して、前記製造装置での供給板材から不要部分を切削する溝切り工程で切除する面積が小さくなるように構成されているとともに、前記第１底面外フラップ６および第３底面外フラップ８の先端縁を長く設定し、この長く設定した先端縁に前記二箇所の前記底組み用の係止片部10が形成されていることを特徴とする請求項１〜４のいずれか１項に記載の底組み方形箱に係るものである。
【発明の効果】
【００１３】
本発明は上述のように構成したから、底組み方形箱の各底面フラップの形状を改良し、底組みによる底面部の支承強度を確保しつつ十分な長さのスケアリング用重合縁を有する構成とすることによってＦＦＧ装置などの製造装置を用いて安価に生産可能で、テープ貼りやステープル止めを不要とすることもできる底組み方形箱を提供でき、しかも方形箱の縦・横比の異なるものにも（縦・横比が１若しくは１に近いものにも）生産対応でき、その底面フラップ形状の設計も容易となるなど極めて実用性に優れた底組み方形箱を提供すること。
【００１４】
また、請求項２，３，４記載の発明においては、本発明を一層容易に実現でき、一層実用性に優れた底組み方形箱となる。
【００１５】
また、請求項５記載の発明においては、一層先端縁を長く形成でき、二箇所の底組み用の係止片部による重合係止（底組み）により底面部の支承強度を高めることができるとともに、この傾斜縁によりこの底組みに際しての押し込み重合係止操作も容易となり、しかも、多少底組みに際しての押し込み重合係止の操作力が大きくなるものの前記スケアリング用重合縁を長く形成できることとなるため、一層本発明の作用・効果が良好に発揮され、また切削する板くずも少なくて済み無駄もなくまた板くずによる詰まりの問題もこれを除去する手段も簡易となるなど一層実用性に優れた底組み方形箱となる。
【図面の簡単な説明】
【００１６】
【図１】本実施例（第１実施例）でのＦＦＧ装置により製造される工程を示す概略説明図である。
【図２】第１実施例の展開平面図である。
【図３】第１実施例の二つ折り重ね偏平状態（完成状態）の斜視図である。
【図４】第１実施例の箱組み立て途中の底組み前の斜視図である。
【図５】第１実施例の箱組み立て途中の底組み前の底面内フラップを折り曲げた状態の斜視図である。
【図６】第１実施例の箱組み立て途中の底組み前の底面内フラップを折り曲げ、さらに底面外フラップも折り曲げ押し込み係止前の斜視図である。
【図７】第１実施例の箱組み立て途中の底組み前の底面内フラップおよび底面外フラップも折り曲げ、押し込みした際の斜視図である。
【図８】第１実施例の底組み完成時の斜視図である。
【図９】第１実施例のＦＦＧ装置により接着片部により二つ折り重ね偏平状態を止着する際の位置ズレを押圧矯正するスケアリング時の説明平面図である。
【図１０】第２実施例の展開平面図である。
【図１１】第２実施例の箱組み立て途中の底組み前の底面内フラップを折り曲げた状態の斜視図である。
【図１２】第２実施例の底組み完成時の斜視図である。
【図１３】第２実施例のＦＦＧ装置により接着片部により二つ折り重ね偏平状態を止着する際の位置ズレを押圧矯正するスケアリング時の説明平面図である。
【図１４】第３実施例の展開平面図である。
【図１５】第３実施例の底組み完成時の斜視図である。
【図１６】従来例の展開平面図である。
【図１７】従来例の二つ折り重ね偏平状態（完成状態）の斜視図である。
【図１８】従来例の箱組み立て途中の底組み前の斜視図である。
【図１９】従来例の箱組み立て途中の底組み前の底面フラップの一つを折り曲げた状態の斜視図である。
【図２０】従来例の箱組み立て途中の底組み前の三つの底面フラップを折り曲げた状態の斜視図である。
【図２１】従来例の底組み完成時の斜視図である。
【発明を実施するための形態】
【００１７】
好適と考える本発明の実施形態を、図面に基づいて本発明の作用を示して簡単に説明する。
【００１８】
例えば、段ボール箱（組み立て前の二つ折り重ね偏平状態の段ボール箱）を安価に製造できる前記ＦＦＧ装置により、印刷工程・溝切り工程を経た後、折り曲げて二つ折り重ねし、端部の接着片部22に接着剤を付してこの二つ折り重ねした状態の端部同士を止着し積み重ねるが、本発明では、底組み方形箱であるが十分な底面部の支承強度を確保しながらも、前記二つ折り重ね輸送状態（二つ折り重ね偏平状態）に接着するに際し、位置ズレをしなくする押圧矯正のためのスケアリング用重合縁12，13が長く形成されるから、底組み方形箱でありながらスケアリングにより二つ折り重ねの位置ズレを確実に押圧矯正して接着でき、これを積み重ねできるため、本発明はこのようなＦＦＧ装置により安価に製造できることとなる。
【００１９】
すなわち、例えば第１側面板１，第２側面板２，第３側面板３および第４側面板４が所定方向に連設されている本体板部５を二つ折り重ねする場合は、第２側面板２と第３側面板３との連設部の折り縁を折り曲げて、第１側面板１と第２側面板２から成る重ね下側に、第３側面板３と第４側面板４から成る重ね上側とを重合するか、また例えば図１の第１実施例のように第１側面板１と第２側面板２との連設部の折り縁および第３側面板３と第４側面板４との連設部の折り縁を折り曲げて、第２側面板２および第３側面板３から成る重ね上側と第１側面板１および第４側面板４の夫々が重ね下側となるように重合するかして本体板部５を二つ折り重ね偏平状態とする。
【００２０】
この際、図３，図９や図１３に示すように、各側面板１，２，３，４に夫々連設され各側面板１，２，３，４の連設方向に並設されている各底面フラップ６，７，８，９も重合することになる。
【００２１】
例えば第１底面外フラップ６と第２底面内フラップ７とに、第３底面外フラップ８と第４底面内フラップ９とが重合、あるいは第１底面外フラップ６と第２底面内フラップ７および第３底面外フラップ８と第４底面内フラップ９とが重合することとなる。
【００２２】
したがって、いずれにしても第２底面内フラップ７や第４底面内フラップ９と第１底面外フラップ６や第３底面外フラップ８が重合することになる。
【００２３】
この際本発明では、第２底面内フラップ７および第４底面内フラップ９には底組み用の係止片部10および底組み用の係止受部11は形成していなく先端縁はその幅いっぱいあるいは正方形箱（縦・横比が１）の場合に底面内フラップ７，９の突出長が長く重なりを防ぐために互いに先端縁の一部を切り欠いた形状とする場合であってもその切り欠き部分以外の係止片部を形成しないことで長い先端直線縁13が形成されている。
【００２４】
また、第１底面外フラップ６と第３底面外フラップ８との先端縁には底組み用の係止受部11を介して二箇所に底組み用の係止片部10が形成されていて、総じて長い先端直線縁12（底組み用の係止片部10の先端直線縁12）が形成されている。さらにこの二つ折り重ねされて合わされる前記各先端直線縁12，13の各側面板１，２，３，４からの距離が一致する形状に設定されているから、二つ折り重ねた二つ折り重ね偏平状態の一側にこの先端直線縁12，13が重合して長いスケアリング用重合縁12，13が形成されることになる。
【００２５】
また、この長いスケアリング用重合縁（先端直線縁12，13）の反対側にはスケアリング用押圧受縁（先端直線縁20，21）が形成されているが、図９や図１３に示すように天面フラップを有する場合もこのスケアリング用押圧受縁20，21が形成されるから、底組み方形箱の組み立て前の二つ折り重ね偏平状態（二つ折り重ね輸送状態）としたときに長いスケアリング用重合縁12，13と対向して長いスケアリング用押圧受縁20，21が確保されるため二つ折り重ねの位置ズレを押圧矯正するスケアリングが良好に行えることとなる。
【００２６】
しかも、縦・横比が異なる場合でも（図１３に示すように縦・横比が１あるいは１に近い場合でも）前述のように設計してスケアリングが良好に行えるように構成できる。
【００２７】
したがって、底組みできる箱でありながらＦＦＧ装置などの製造装置を用いて安価に製造できることとなる。
【００２８】
しかも前述したとおり、第２底面内フラップ７および第４底面内フラップ９には底組み用の係止片部10および底組み用の係止受部11を形成せずに長い先端直線縁12，13が形成される構成としつつも、第１底面外フラップ６および第３底面外フラップ８の先端縁には二箇所の底組み用の係止片部10を形成することで底組みによる底面部の支承強度も確保され、テープ貼りやステープル止めも不要にすることができる構成となる。
【００２９】
また、第１底面外フラップ６と対向する第３底面外フラップ８の形状を同形状とすることで、第１側面板１と第２側面板２との寸法比（縦・横比）に応じて第１底面外フラップ６を設計し、前記底組み用の係止片部10や前記底組み用の係止受部11のないシンプルな第２底面内フラップ７を設計すれば、本発明を容易に設計することが可能となり、以下に詳述する第１実施例，第２実施例，第３実施例に示すとおり、縦・横比が１（縦・横寸法が同一）の正方形あるいはこの正方形に近い底組み方形箱も同様に容易に設計可能でＦＦＧ装置などの製造装置で生産可能な構成となる。
【実施例】
【００３０】
本発明の具体的な実施例について図面に基づいて説明する。
【００３１】
本実施例では、連結部の折り縁を折り曲げることで４面の側面部が形成される方形状の第１側面板１，第２側面板２，第３側面板３および第４側面板４が所定方向に連設された長方形状の本体板部５に、前記各側面板１，２，３，４の連設方向（長さ方向）と直交する方向に突出状態にして連設部の折り縁を折り曲げることで底組みできる底面部が形成される第１底面外フラップ６，第２底面内フラップ７，第３底面外フラップ８および第４底面内フラップ９が連設され並設されている底組み方形箱であって、前記第１側面板１に連設されている前記第１底面外フラップ６の先端縁には、底組み用の係止片部10と、これと対向する前記第３底面外フラップ８に形成されている前記底組み用の係止片部10が重合係止する底組み用の係止受部11とが二箇所ずつ交互に凹凸縁状態（凸縁も凹縁も直線縁）に形成されている。
【００３２】
また、箱組み立て時に前記第１側面板１と対向することとなる前記第３側面板３に、前記第１底面外フラップ６と同形状となる前記二箇所の底組み用の係止受部11と前記二箇所の底組み用の係止受部10とが形成されている前記第３底面外フラップ８が連設され、前記第１側面板１と前記第３側面板３との間の前記第２側面板２に前記第２底面内フラップ７が連設され、箱組み立て時に前記第２側面板２と対向することとなる前記第４側面板４に前記第２底面内フラップ７と対向する前記第４底面内フラップ９が連設されている。
【００３３】
また、本実施例では、前記本体板部５の前記折り縁を折り曲げることで、４面から成る側面部が形成されるとともに、前記第２底面内フラップ７と前記第４底面内フラップ９とが対向し、この第２底面内フラップ７と第４底面内フラップ９の外側に重合するように前記第１底面外フラップ６と前記第３底面外フラップ８とが対向し、夫々対向する前記第１底面外フラップ６の前記底組み用の係止片部10と前記第３底面外フラップ８の前記底組み用の係止受部11および前記第１底面外フラップ６の前記底組み用の係止受部11と前記第３底面外フラップ８の前記底組み用の係止片部10とが押し込むことで係止片部10が内側となるように重合係止して底組みされて前記底面部が形成されるように構成されている。
【００３４】
また、前記第２底面内フラップ７および前記第４底面内フラップ９の先端直線縁13には前記底組み用の係止片部10および前記底組み用の係止受部11は形成されていない長い先端直線縁13が形成されている。
【００３５】
また、本実施例では、前記本体板部５の前記連設方向の端部に接着剤を付して二つ折り重合止着する接着用片部22が設けられている。この接着片部22は箱組み立て時には本体板部５の内側に重合配設されることになる。
【００３６】
また、本実施例では、前記第１底面外フラップ６若しくは前記第３底面外フラップ８の先端縁に形成された前記底組み用の係止片部10の先端直線縁12の前記第１側面板１若しくは前記第３側面板３からの距離と、前記第２底面内フラップ７若しくは前記第４底面内フラップ９の先端直線縁13の前記第２側面板２若しくは前記第４側面板４からの距離とが一致する形状に設定されていて、溝切り・二つ折り重ね・接着・積み上げを自動的に行うＦＦＧ装置によって二つ折り重ねして箱組み立て前の二つ折り重ね輸送状態とした際には、重ね下側と重ね上側との一側縁に前記先端直線縁12，13がそろい重合したスケアリング用重合縁12，13が形成され二つ折り重ねの位置ズレを押圧して矯正するためのＦＦＧ装置でのスケアリングが良好に行えるように構成されている。
【００３７】
また、本実施例では、前記本体板部５の前記第１底面外フラップ６，前記第２底面内フラップ７，前記第３底面外フラップ８および前記第４底面内フラップ９を連設する側と反対側に、前記スケアリングを行う際の前記スケアリング用重合縁12，13と対向するスケアリング用押圧受縁20，21が形成されている。本実施例では、前記本体板部５に天面部を形成する各天面フラップ14，15，16，17を連設してこの各フラップの先端直線縁20，21で前記スケアリング用押圧受縁20，21が形成されている。
【００３８】
この天面部を形成する天面フラップは、単なる方形板としてテープ貼りやステープル止めして閉塞する形状でも良いし、底面部と同様に底組み方式、すなわち天組みできる天面部が形成される形状としても良い。
【００３９】
また、本実施例では、前記第１底面外フラップ６および前記第３底面外フラップ８の前記底組み用の係止片部10若しくは前記底組み用の係止受部11と隣接する外フラップ突出側縁18と、この外フラップ突出側縁18と隣接する前記第２底面内フラップ７若しくは前記第４底面内フラップ９の内フラップ突出側縁19との離間間隔が傾斜が大きいほど広がることとなる前記外フラップ突出側縁18の内側傾斜度を小さく設定して、（底組みに際しての押し込み重合係止の操作力が多少大きくなるが）前記ＦＦＧ装置での供給板材から不要部分を切削する溝切り工程で切除する面積が小さくなるように構成されているとともに、前記第１底面外フラップ６および第３底面外フラップ８の先端縁を長く設定し、この長く設定した先端縁に前記二箇所の前記底組み用の係止片部10が形成されている。
【００４０】
さらに説明すると、図１は、ＦＦＧ装置での段ボール箱（箱組み立て前の二つ折り重ね偏平状態の段ボール板）の製造工程を示す図面で、図面右から、段ボール板が供給され、印刷がなされ、搬送方向後側で溝切りが行われ、板くずは後方へ排除され、二つ折り重ねして接着片部22に接着剤が付されてスケアリングし位置ズレが押圧矯正され積み重ねられて、所定板数ずつ排出されるＦＦＧ装置の概略を示している。
【００４１】
また、図１６〜図２１は、例えば従来の底組み方形箱を示したものであるが、この従来例のように縦・横比が１の正方形箱の場合は底組みする底面フラップの先端縁形状がそろわないため、仮にＦＦＧ装置で二つ折り重ねした場合にスケアリング重合縁が形成されないこととなるため、スケアリングが行えずＦＦＧ装置では製造できない。
【００４２】
このように従来の底組み方形箱は縦・横比の大きな箱はスケアリング重合縁を形成できる場合もあるが、正方形箱（縦・横比が１）に近づくほどその設計が困難となり、前述のように正方形箱ではスケアリングができない底面フラップ形状となる。
【００４３】
そのため、前述したように従来の底組み箱はＦＦＧ装置で製造できなかった。
【００４４】
これに対して、図１〜図９に示す本発明の第１実施例では、図９に示すように十分に長いスケアリング用重合縁12，13が形成され、スケアリング良好に行え、ＦＦＧ装置を用いて安価に製造できることとなる。
【００４５】
すなわち、第２底面内フラップ７，第４底面内フラップ９の先端縁には底組み用の係止片部10，底組み用の係止受部11を形成せず長い先端直線縁13を確保しつつ、底組みの支承強度を上げるために第１底面外フラップ６，第３底面外フラップ８の先端縁には二箇所の底組み用の係止片部10を形成して底組み力を上げつつも先端直線縁12を長くし、二つ折り重ねした際に上下双方の先端直線縁12，13がそろう寸法が長くなるように設定して長いスケアリング用重合縁12，13が形成されるように構成している。
【００４６】
なお、この第１実施例では、第２底面内フラップ７，第４底面内フラップ９の突出長がちょうど方形箱の長辺となる第１側面板１，第３側面板３の長さの１／２に設定してほぼ突き合うように設定し、第１底面外フラップ６，第３底面外フラップ８の突出長もこれと同一とし、中央位置で底組み用の係止片部10と底組み用の係止受部11とが重合係止するように構成している。
【００４７】
また、図１０〜図１３は、縦・横比が１で正方形箱となる第２実施例を示すもので、正方形箱となる底組み箱であっっても、長いスケアリング用重合縁12，13を確保できる。
【００４８】
すなわち、この底組み正方形箱の第２実施例では、前述のように底組み用の係止片部10の先端直線縁12と、第２底面内フラップ７，第４底面内フラップ９の先端直線縁13との突出長（側面板からの距離）を同一として二つ折り重ねした場合に上下でそろうようにするため、対向する第２底面内フラップ７と第４底面内フラップ９の先端縁形状に双方が逃げあいながらほぼ突き合う切り欠き部分を設け、この底面内フラップ７，９が互いに重なり合わないながらも突き合うようにして、できるだけ長い先端直線縁13を形成して、この先端直線縁13の突出長と同じに設定した底組み用の係止片部10の先端直線縁12とが合わさる長さが長くなるようにしてスケアリング用重合縁12，13の長さがやはり長く確保されるように設計している。
【００４９】
また、図１４，図１５は、縦・横比が大きい場合の第３実施例である。
【００５０】
この場合も同様にスケアリング用重合縁12，13を長く確保できる。
【００５１】
このように、本発明は、底組みする底面フラップとの形状を設計するに際して、底面内フラップはシンプルにしつつ、底面外フラップには二箇所の底組み用の係止片部10を形成し、対向する底面外フラップは同形状とすることでその突出長を設計すれば、縦・横比が違うものでも容易に設計でき、しかも二箇所の底組み用の係止片部10により底面内フラップに底組み用の係止片部10を設けず長い先端直線縁13を確保し、二箇所の底組み用の係止片部10の先端直線縁12とそろい重合する長いスケアリング用重合縁12，13が確保される構成としても底面部の底組み力は確保され支承強度が確保される。
【００５２】
したがって、底組み方形箱でなるありながら、縦・横比が異なっても容易に設計可能でありスケアリングが良好に行えるため、ＦＦＧ装置での安価な生産が可能となる。
【００５３】
尚、本発明は、本実施例に限られるものではなく、各構成要件の具体的構成は適宜設計し得るものである。
【符号の説明】
【００５４】
１  第１側面板
２  第２側面板
３  第３側面板
４  第４側面板
５  本体板部
６  第１底面外フラップ
７  第２底面内フラップ
８  第３底面外フラップ
９  第４底面内フラップ
10  （底組み用の）係止片部
11  （底組み用の）係止受部
12  先端直線縁（スケアリング用重合縁）
13  先端直線縁（スケアリング用重合縁）
14  天面フラップ
15  天面フラップ
16  天面フラップ
17  天面フラップ
18  外フラップ突出側縁
19  内フラップ突出側縁
20  スケアリング用押圧受縁，先端直線縁
21  スケアリング用押圧受縁，先端直線縁
22  接着片部
【図１】
2018138468.tif 000003
【図２】
2018138468.tif 000004
【図３】
2018138468.tif 000005
【図４】
2018138468.tif 000006
【図５】
2018138468.tif 000007
【図６】
2018138468.tif 000008
【図７】
2018138468.tif 000009
【図８】
2018138468.tif 000010
【図９】
2018138468.tif 000011
【図１０】
2018138468.tif 000012
【図１１】
2018138468.tif 000013
【図１２】
2018138468.tif 000014
【図１３】
2018138468.tif 000015
【図１４】
2018138468.tif 000016
【図１５】
2018138468.tif 000017
【図１６】
2018138468.tif 000018
【図１７】
2018138468.tif 000019
【図１８】
2018138468.tif 000020
【図１９】
2018138468.tif 000021
【図２０】
2018138468.tif 000022
【図２１】
2018138468.tif 000023